(57)【要約】【課題】器具取付面と器具本体との密着性の低下を防止して、器具取付面に対して固定状態を安定して保持できる照明器具取付用ばね部材及び照明器具を提供する。【解決手段】本発明は、照明器具の背面側に固定される固定部１５ａと、この固定部１５ａから延出されるとともに、ばね作用によって弾性的に器具取付面Ｃに当接される当接部１５ｄとを具備する照明器具取付用ばね部材１５である。この照明器具取付用ばね部材１５は、照明器具本体１の背面側における中央部を中心として略放射状に複数配設されている。【選択図】図１２
2012155976.tif 000002
【特許請求の範囲】
【請求項１】
照明器具の背面側に固定される固定部と；
この固定部から延出されるとともに、ばね作用によって弾性的に器具取付面に当接される当接部と；
を具備することを特徴とする照明器具取付用ばね部材。
【請求項２】
前記当接部は、滑り止め部を備えていることを特徴とする請求項１に記載の照明器具取付用ばね部材。
【請求項３】
器具本体と；
この器具本体の背面側に配設された請求項１又は請求項２に記載の照明器具取付用ばね部材と；
を具備することを特徴とする照明器具。
【請求項４】
前記照明器具取付用ばね部材は、器具本体の背面側における中央部を中心として略放射状に複数配設されていることを特徴とする請求項３に記載の照明器具。
【請求項５】
前記照明器具取付用ばね部材は、固定部から延出される当接部の延出方向が、器具本体の背面側における中央部を中心とする半径方向と略直交する方向に向けられて複数配設されていることを特徴とする請求項３又は請求項４に記載の照明器具。
【請求項６】
前記器具本体の前面側を覆うとともに、回動して着脱可能な透光性のカバー部材を有し、前記照明器具取付用ばね部材は、固定部から延出される当接部の延出方向が、前記透光性のカバー部材の取付時の回動方向に向けられていることを特徴とする請求項５に記載の照明器具。
【請求項７】
器具取付面に設置された配線器具に対向する取付部を有する器具本体と；
前記取付部の周囲に位置して、実装面が前面側に向けられるとともに、裏面側が前記器具本体に熱的に結合されて配設された基板と；
この基板に実装された複数の発光素子と；
前記器具本体の背面側であって、前記基板と対応する部位に固定される固定部と、この固定部から延出されるとともに、ばね作用によって弾性的に器具取付面に当接される当接部とを備えた照明器具取付用ばね部材と；
を具備することを特徴とする照明器具。
【請求項８】
器具取付面に設置された配線器具に対向する取付部を有する器具本体と；
前記取付部の周囲に位置して、実装面が前面側に向けられるとともに、裏面側が前記器具本体に熱的に結合されて配設された基板と；
この基板に実装された複数の発光素子と；
前記器具本体の背面側に固定される固定部と、この固定部から延出されるとともに、ばね作用によって弾性的に器具取付面に当接された場合に、前記器具本体の背面側と所定の離間寸法が保持される当接部とを備えた照明器具取付用ばね部材と；
を具備することを特徴とする照明器具。
【発明の詳細な説明】
【技術分野】
【０００１】
本発明の実施形態は、照明器具取付用ばね部材及びこの照明器具取付用ばね部材が用いられた天井面等に設置されて使用される照明器具に関する。
【背景技術】
【０００２】
従来、この種、照明器具においては、天井面等の器具取付面に設置された引掛けシーリングボディにアダプタが電気的かつ機械的に接続され、このアダプタに光源としての蛍光ランプを有する器具本体が取付けられるようになっている。また、アダプタには電源コードが接続されており、電源コードの先端部に設けられたコネクタが器具本体側に連結されようになっている。さらに、器具本体の下面側全体を覆うように透光性のカバー部材（セード）が器具本体に着脱可能に設けられている。
【０００３】
このような構成の器具本体の背面側には、天井面等の器具取付面と器具本体とを密着させる弾性部材（スポンジ製のパッキン）が設けられており、この弾性部材によって器具本体は、器具取付面に対して固定状態が保持されている。
【先行技術文献】
【特許文献】
【０００４】
【特許文献１】特開２００１−６４２５号公報
【特許文献２】特開２００２−３３０１３号公報
【発明の概要】
【発明が解決しようとする課題】
【０００５】
しかしながら、上記従来の照明器具において、長期間の使用により弾性部材が熱等によって経年劣化する可能性がある。この場合、例えば、ランプの交換や内部の掃除等のメンテナンスの場合に、カバー部材を回動して器具本体から取り外すが、このとき、弾性部材の劣化により器具本体と器具取付面との密着性が低下して固定状態が保持されず、カバー部材の回動とともに器具本体も回動してしまうという現象が生じる。
【０００６】
このようにカバー部材の回動とともに器具本体も回動してしまうと、固定状態のアダプタに対し器具本体が回動することとなり、これらの間を接続している電源コードが捻れ、コネクタが外れて地絡が発生したり、電源コードの絶縁不良やコネクタの破損を招いたりする虞を生じる。
【０００７】
本発明は、上記課題に鑑みなされたもので、器具取付面と器具本体との密着性の低下を防止して、器具取付面に対して固定状態を安定して保持できる照明器具取付用ばね部材及び照明器具を提供することを目的とする。
【課題を解決するための手段】
【０００８】
本発明の実施形態による照明器具取付用ばね部材は、照明器具の背面側に固定される固定部と、この固定部から延出されるとともに、ばね作用によって弾性的に器具取付面に当接される当接部とを備えている。
【発明の効果】
【０００９】
本発明の実施形態によれば、器具取付面に対して照明器具の固定状態を安定して保持できる照明器具取付用ばね部材及び照明器具を提供することができる。
【図面の簡単な説明】
【００１０】
【図１】本発明の第１の実施形態に係る照明器具を示す斜視図である。
【図２】同照明器具を示す分解斜視図である。
【図３】同照明器具においてカバー部材及び点灯装置カバーを取外して下方から見て示す概略の平面図である。
【図４】同照明器具を示す背面図である。
【図５】同照明器具を示す断面図である。
【図６】図５中、点線で囲まれた範囲を示す拡大図である。
【図７】同照明器具における基板を示す平面図である。
【図８】同照明器具における照明器具取付用ばね部材を示す斜視図である。
【図９】同照明器具における照明器具取付用ばね部材を示しており（滑り止め部は省略している）、（ａ）は、平面図、（ｂ）は、当接部の平面図、（ｃ）は、側面図である。
【図１０】同照明器具の天井面への取付状態を説明するための断面図である。
【図１１】同照明器具においてカバー部材を回動して着脱操作する場合を示す説明図である。
【図１２】同照明器具の天井面への取付完了状態を示す断面図である。
【図１３】本発明の第２の実施形態に係る照明器具を示す背面図である。
【図１４】同照明器具取付用ばね部材の配置例を示す平面図である。
【図１５】照明器具取付用ばね部材の変形例を示す斜視図である。
【図１６】本発明の第３の実施形態に係る照明器具を示す図６に相当する拡大図である。
【図１７】本発明の第４の実施形態に係る照明器具を示す図６に相当する拡大図である。
【図１８】本発明の第５の実施形態に係る照明器具取付用ばね部材を示す斜視図である。
【図１９】同照明器具取付用ばね部材の配置例を示す平面図である。
【図２０】同じく、照明器具取付用ばね部材の配置例を示す平面図である。
【発明を実施するための形態】
【００１１】
以下、本発明の第１の実施形態について図１乃至図１２を参照して説明する。各図においてリード線等による配線接続関係は省略して示している場合がある。なお、同一部分には同一符号を付し、重複した説明は省略する。
【００１２】
本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
【００１３】
図１乃至図５において、照明器具は、器具本体１と、光源部２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
【００１４】
図２乃至図６に示すように、本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側に向かう段差部１３が形成されて樋状の凹部１４が形成されている。そして、前記段差部１３には、カバー部材７が着脱可能に取付けられるカバー受部材が配置されている。カバー受部材は、より詳しくは、カバー受金具７５であり、段差部１３によって形成される凹部１４に配置されるようになっている。
【００１５】
図４乃至図６に示すように、本体１の背面側の４箇所には、照明器具取付用ばね部材１５が設けられている。ばね部材１５は、図８及び図９の参照を加えて示すように、ステンレス鋼等の金属製からなり、略長方形状の板ばねを折曲して形成されている。ばね部材１５の一端側には、固定部１５ａが形成されており、この固定部１５ａは、図示上、水平方向に四角形状をなして延出している。また、この固定部１５ａには、ねじ貫通孔１５ｂが形成されている。
【００１６】
さらに、固定部１５ａから斜め上方に向かって延出部１５ｃが形成されて、その先端側、つまり、他端側には、四角形状をなした当接部１５ｄが形成されている。この当接部１５ｄと延出部１５ｃとがなす角度θは、約１３０度〜１６０度に設定するのが好ましく、本実施形態では、１４５度に設定されている（図９（ｃ）参照）。このように角度を設定することにより、当接部１５ｄを例えば、天井面Ｃに略平面的に当接することが可能となる。
【００１７】
また、当接部１５ｄには、滑り止め部１５ｅとして直方体形状のスポンジが接着等によって設けられている。なお、滑り止め部１５ｅとしては、シリコーンゴム等の他の部材を適用できる。また、例えば、当接部１５ｄの部分に直接的に加工を施して滑り止め部１５ｅを形成するようにしてもよい。
したがって、当接部１５ｄは、天井面Ｃに間接的又は直接的に当接される部分を意味している。
【００１８】
このように形成された照明器具取付用ばね部材１５は、図４に示すように、本体１の背面側に中央部の取付部６を中心とする略放射状に複数配設されている。具体的には、ばね部材１５の固定部１５ａが本体１に固定され、当接部１５ｄが外周方向に向けられて、長手方向が略半径方向に沿って配置されている。なお、固定部１５ａの固定は、後述する点灯装置カバー５の本体１への取付けと同時にねじ貫通孔１５ｂを貫通するねじによって行われている。
【００１９】
図６に代表して示すように、本体１の背面側に配設されたばね部材１５は、固定部１５ａを支点として前面側方向（図示矢印方向）にばね作用を伴って弾性変形可能となっている。
【００２０】
光源部２は、図２及び図３、図５乃至図７に示すように、基板２１と、この基板２１に実装された複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。
【００２１】
このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
【００２２】
基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００２３】
発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色Ｎのものと電球色Ｌのものとが用いられており、これらが交互に並べられていて、各列の隣接する発光素子２２は略等間隔を空けて配設されている。この昼白色と電球色のＬＥＤパッケージに流れる電流等を調整することにより調色が可能となっている。
【００２４】
なお、特定の基板２１ａ（図３中、右側、図７中、右上側）には、常夜灯用の発光素子２２ａが実装されている。この発光素子２２ａには、サークル状に実装された主光源における電球色のものと同じ仕様のＬＥＤパッケージが用いられている。これにより部材の共通化が図られている。
【００２５】
なお、発光素子２２は、必ずしも複数列に実装する必要はない。例えば、周方向に沿って１列に実装するようにしてもよい。所望する出力に応じて発光素子２２の列数や個数を適宜設定することができる。
【００２６】
ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
【００２７】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００２８】
拡散部材３は、レンズ部材であり、図６に代表して示すように、例えば、ポリカーボネートやアクリル樹脂等の絶縁性を有する透明合成樹脂からなり、前記発光素子２２の配置に沿って略サークル状に一体的に形成されていて、発光素子２２を含めて基板２１の全面を覆うように配設されている。
【００２９】
また、レンズ部材は、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
さらに、これら突条部３１からは幅方向に延出する平坦部３３が形成されており、これにより基板２１の全面が覆われるようになっている。
【００３０】
このように構成されたレンズ部材によれば、複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
【００３１】
したがって、レンズ部材によって複数の発光素子２２から出射される光による照射光の均斉度を向上することが可能となる。さらに、各発光素子２２の輝度による粒々感を抑制することができる。
また、拡散部材３には、平坦部３３が形成されて基板２１の全面を覆うようになっているので、充電部が拡散部材３によって覆われ保護される。
【００３２】
なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
また、拡散部材３は、レンズ部材に限らず、拡散シート等を適用するようにしてもよい。
【００３３】
上記のように構成された光源部２は、図５及び図６に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間に挟み込まれて押圧固定されるようになっている。つまり、１本のねじＳによって基板２１と拡散部材３とが共締めされている。
【００３４】
したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
【００３５】
加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
【００３６】
点灯装置４は、図２、図３及び図５に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
このような点灯装置４は、取付部６と光源部２、すなわち、基板２１との間に配設されている。
【００３７】
点灯装置カバー５は、図２及び図５に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
【００３８】
取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
【００３９】
なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
【００４０】
カバー部材７は、アクリル樹脂等の透光性を有し、乳白色を呈する拡散性を備えた材料から略円形状に形成されており、中央部には不透光性の円形状の化粧カバー７１が取付けられている。また、この化粧カバー７１には、前記電気的補助部品６２と対向するように略三角形状の透光性を有する受光窓７２が形成されている。さらに、カバー部材７の内面側の中央寄りには、内面方向に突出する突出ピン７３が形成されている。
【００４１】
そして、カバー部材７は、光源部２を含めた本体１の前面側を覆うように本体１の外周縁部に着脱可能に取付けられるようになっている。具体的には、カバー部材７を回動することによって、カバー部材７に設けられたカバー取付金具７４を本体１の外周部の段差部１３における凹部１４に配設されたカバー受金具７５に係合することにより取付けられる。また、カバー部材７を取外す場合には、カバー部材７を取付時とは反対方向に回動して、カバー取付金具７４とカバー受金具７５との係合を解くことにより、取外すことができる。
【００４２】
このようにカバー部材７が本体１に取付けられた状態においては、主として図５に示すように、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
【００４３】
ここで、カバー部材７は、回動させて本体１に取付けられるが、受光窓７２の位置を電気的補助部品６２と対向するように位置合わせをする必要がある。このため、本実施形態においては、詳細な説明は省略するが、カバー部材７側に形成された突出ピン７３と点灯装置カバー５に形成されたガイド凹部５４とによって位置規制手段が構成されている。この位置規制手段によって受光窓７２が電気的補助部品６２と対向して位置されるようになり、例えば、赤外線リモコン信号受信部が赤外線リモコン送信器からの制御信号を受信できるようになる。
【００４４】
アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置４へ接続する電源コードが導出されていて、点灯装置４とコネクタを介して接続されるようになっている（図３参照）。
次に、照明器具の天井面Ｃへの取付状態について図１０乃至図１２を参照して説明する。
【００４５】
まず、図１０に示すように、予め天井面Ｃに設置されている引掛けシーリングボディＣｂにアダプタＡを電気的かつ機械的に接続する。この状態から取付部６としてのアダプタガイドの係合口６１をアダプタＡに合わせながら、アダプタＡの係止部Ａ1がアダプタガイドの係合口６１に確実に係合するまで器具本体１を照明器具取付用ばね部材１５の弾性力に抗して下方から手で押し上げて取付け操作を行う。
【００４６】
次いで、図１１に示すように、カバー部材７を本体１に取付ける。これは、カバー部材７を回動することによって、カバー部材７に設けられたカバー取付金具７４を本体１のカバー受金具７５に係合することにより取付けられる。
【００４７】
この取付完了状態が図１２に示す状態であり、この状態においては、照明器具取付用ばね部材１５が破線で示す状態から実線で示す状態に弾性変形して、当接部１５ｄが滑り止め部１５ｅを介して天井面Ｃに弾性的に当接している。そして、当接部１５ｄは、天井面Ｃに略平面的に平行又は先端部が少しばかり鉛直方向に向かうように当接することが可能となる。したがって、照明器具本体１は、ばね部材１５のばね作用によって天井面Ｃに確実に固定状態となる。
【００４８】
また、照明器具を取外す場合には、カバー部材７を取外し、アダプタＡに設けられているレバーを操作してアダプタＡの係止部Ａ1の係合を解くことにより取外すことができる。
【００４９】
以上のような照明器具の天井面Ｃへの取付状態において、照明器具取付用ばね部材１５は、熱等による経年劣化がほとんどなく、安定して照明器具本体１を天井面Ｃに固定状態に保持できる。したがって、例えば、カバー部材７を回動して器具本体１から取り外すとき、カバー部材７の回動とともに器具本体１も回動してしまうという現象を防止できる。
また、滑り止め部１５ｅによって器具本体１の回動をその摩擦力で効果的に防止し得る。
【００５０】
さらに、図６に代表して示すように、照明器具の取付状態においては、当接部１５ｄと器具本体１の背面側とは、所定の離間寸法Ｌが保持されるようになっているので、例えば、光源部２から本体１へ伝導された熱が直接的に当接部１５ｄに作用し、スポンジの滑り止め部１５ｅが劣化するのを抑制することができる。
一方、照明器具取付用ばね部材１５は、熱伝導性を有しているので、本体１からの熱が伝導され、放熱効果をもたらすことができる。
【００５１】
さらにまた、ばね部材１５は、放射状に複数配設されているので、本体１の取付状態における固定状態の安定性を確保し得る。加えて、ばね部材１５の長手方向が略半径方向に沿って配置されているので、天井面Ｃと本体１との隙間からばね部材１５を視認しにくくすることができ、外観上良好なものとすることができる。
【００５２】
照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７によって拡散され透過して外方へ照射される。したがって、照射光の均斉度の向上を図ることができるとともに、各発光素子２２の輝度による粒々感を抑制することが可能となる。
また、半径方向の内周側へ向かう一部の光は、点灯装置カバー５における傾斜状の側壁５１によって前面側に反射され有効に利用されるようになる。
【００５３】
一方、発光素子２２から発生する熱は、基板２１の裏面側が本体１と熱的に結合しているため、本体１に効果的に伝導され、広い面積で放熱されるようになる。また、基板２１の外周側近傍には、基板２１の外周に沿って段差部１３が位置しているため、この段差部１３によって放熱面積を増大させることができ、本体１外周部での放熱効果を高めることが可能となる。加えて、本体１から照明器具取付用ばね部材１５への熱伝導によっても放熱効果を得ることができる。
【００５４】
また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
【００５５】
さらに、カバー部材７は、点灯装置カバー５に面接触するようになっているので、点灯装置４から発生する熱を点灯装置カバー５へ伝導し、さらにカバー部材７へ伝導させて放熱をさせることができる。
【００５６】
加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
【００５７】
以上のように本実施形態によれば、器具取付面に対して器具本体１の固定状態を安定して保持できる照明器具取付用ばね部材１５及び照明器具を提供することができる。
【００５８】
次に、本発明の第２の実施形態について図１３及び図１４を参照して説明する。図１３は、器具本体１の背面図であり、図１４は、照明器具取付用ばね部材１５の配置例を示す平面図である。なお、第１の実施形態と同一又は相当部分には同一符号を付し、重複した説明は省略する。
【００５９】
本実施形態では、第１の実施形態と同様に、照明器具取付用ばね部材１５は、器具本体１の背面側に中央部の取付部６を中心とする略放射状に複数配設されているが、ばね部材１５の向きを変えて配設したものである。具体的には、ばね部材１５は、取付部６を中心とする略同一円周上に配置されていて、固定部１５ａから延出される当接部１５ｄの延出方向が、半径方向と略直交する方向に向けられている。つまり、ばね部材１５の長手方向が半径方向と略直交する方向に向けられて配置されているものである。
しかも、当接部１５ｄの延出方向が、前記透光性のカバー部材７の取付時の回動方向に向けられているものである。
【００６０】
なお、複数のばね部材１５は、略同一円周上に配置されていることが好ましいが、各ばね部材１５が同一円周上からずれて配置されていてもよい。例えば、対向する一対のばね部材１５ごと（本実施形態では、２組）に異なる円周上に配置するようにしてもよい。
【００６１】
このような構成において、例えば、器具本体１にカバー部材７を取付ける場合、カバー部材７を図の矢印で示す方向に回動することによって、カバー部材７に設けられたカバー取付金具７４が本体１に配設されたカバー受金具７５に係合され回動が停止される。
【００６２】
これにより係合が完了するが、係合が完了したにもかかわらず、さらに、不用意にカバー部材７を無理に回動させてしまう場合がある。このような場合、カバー部材７の回動とともに器具本体１が回動してしまう虞が生じる。
【００６３】
しかしながら、本実施形態においては、当接部１５ｄの延出方向が、半径方向と略直交する方向に向けられているため、本体１に回動方向の力が加わった場合、その固定状態を強固に保持することが期待できる。しかも、当接部１５ｄの延出方向が、透光性のカバー部材７の取付時の回動方向に向けられているので、カバー部材７の取付時における不用意な回動方向の力が加わったときにも、本体１の固定状態を保持することが可能となる。
【００６４】
以上のように本実施形態によれば、第１の実施形態の奏する効果に加え、器具本体１に回動方向の力が加わった場合に、その固定状態を強固に保持することが期待できる。
【００６５】
なお、本実施形態において、図１５に示すような照明器具取付用ばね部材１５２を適用することができる。図中、第１の実施形態と同一又は相当部分には同一又は相当符号を付し、詳細な説明は省略する。
【００６６】
ばね部材１５２は、共通の固定部１５２ａを有していて、この固定部１５２ａの両側から斜め上方に向かって延出部１５２ｃが形成されており、その先端側には、当接部１５２ｄが形成されている。つまり、固定部１５２ａから延出して対称的に一対の当接部１５２ｄが形成されているものである。
【００６７】
このような構成によれば、当接部１５２ｄの延出方向が、透光性のカバー部材７の取付時及び取外し時の双方の回動方向に向けられるので、カバー部材７の取付時及び取外し時における本体１の固定状態を強固に保持することが期待できる。
また、この照明器具取付用ばね部材１５２は、第１の実施形態を始めとして、以降の各実施形態において適用可能である。
次に、本発明の第３の実施形態について図１６を参照して説明する。なお、第１の実施形態と同一又は相当部分には同一符号を付し、重複した説明は省略する。
【００６８】
本実施形態では、照明器具取付用ばね部材１５は、本体１の背面側に中央部の取付部６を中心とする略放射状に複数配設されているものであるが、当接部１５ｄが内周方向に向けられて配置されたものである。
【００６９】
このような構成によれば、第１の実施形態と同様な効果を奏することができることに加え、照明器具の取付操作時において、器具本体１の中央部を下方から手で押し上げて取付け操作を行う場合、操作性が良好となる効果を奏する。また、ばね部材１５は、光源部２から離反する方向に配設されるので、本体１から伝導された熱の放熱性を向上できる。
次に、本発明の第４の実施形態について図１７を参照して説明する。なお、第１の実施形態と同一又は相当部分には同一符号を付し、重複した説明は省略する。
【００７０】
本実施形態では、照明器具取付用ばね部材１５を器具本体１の背面側であって、基板２１と対応する部位に配設したものである。具体的には、ばね部材１５の固定部１５ａが基板２１の裏面側と対向する本体１にねじ止めによって固定されている。
【００７１】
このような構成によれば、第１の実施形態と同様な効果を奏することができることに加え、光源部２、すなわち、基板２１からの熱を効果的にばね部材１５に伝導させて放熱させることができる一方、滑り止め部１５ｅは、固定部１５ａから延出した当接部１５ｄに設けられているので、直接的に基板２１から本体１へ伝導された熱の影響を受けることを防止でき、滑り止め部１５ｅの劣化を抑制することが可能となる。
【００７２】
次に、本発明の第５の実施形態について図１８乃至図２０を参照して説明する。図１８は、照明器具取付用ばね部材１５１を示しており、図１９及び図２０は、照明器具本体１における背面側の平面図であり、照明器具取付用ばね部材１５１配置例を示している。なお、第１の実施形態と同一又は相当部分には同一又は相当符号を付し、重複した説明は省略する。
【００７３】
本実施形態の照明器具取付用ばね部材１５１は、図１８に示すように、ステンレス鋼等の金属製であり、略Ｕ字状をなしていて、両端部に固定部１５１ａを有し、この固定部１５１ａから延出し、Ｕ
字状の頂部に当接部１５１ｄを有している。したがって、固定部１５１ａが器具本体１の背面側に固定され、当接部１５１ｄが天井面Ｃに当接されることによりばね作用により弾性変形するようになっている。なお、当接部１５１ｄには、適宜滑り止め部を設けることができる。
【００７４】
図１９に示すように、ばね部材１５１は、本体１の背面側に中央部の取付部６を中心とする略放射状に複数配設されている。具体的には、当接部１５１ｄが外周方向に向けられて、長手方向が略半径方向に沿って配置されている。
【００７５】
なお、図２０に示すように配置するようにしてもよい。本配置例では、前記と同様に、ばね部材１５１は、本体１の背面側に中央部の取付部６を中心とする略放射状に複数配設されている点では共通するが、ばね部材１５１の長手方向が半径方向と略直交する方向に向けられて配置されている。
【００７６】
以上のように本実施形態によれば、第１の実施形態と同様に、器具取付面に対して固定状態を安定して保持できる照明器具取付用ばね部材１５１及び照明器具を提供することが可能となる。
【００７７】
なお、本発明は、上記各実施形態の構成に限定されることなく、発明の要旨を逸脱しない範囲で種々の変形が可能である。例えば、照明器具取付用ばね部材は、コイル状のばね部材を用いてもよく、その形態は格別限定されるものではない。また、上記各実施形態のおいては、光源としてＬＥＤ等の発光素子を用いるものについて説明したが、光源は特段限定されるものではなく、光源として蛍光ランプを用いる照明器具に適用することも勿論可能である。
【符号の説明】
【００７８】
１・・・器具本体、２・・・光源部、３・・・拡散部材（レンズ部材）、
４・・・点灯装置、５・・・点灯装置カバー、６・・・取付部（アダプタガイド）、
７・・・カバー部材、１３・・・段差部、１５・・・照明器具取付用ばね部材、
１５ａ・・・固定部、１５ｃ・・・延出部、１５ｄ・・・当接部、
１５ｅ・・・滑り止め部、２１・・・基板、２２・・・発光素子（ＬＥＤ）、
３１・・・突条部、３３・・・平坦部、７４・・・カバー取付金具、
７５・・・カバー受部材（カバー受金具）、Ａ・・・アダプタ、
Ｃ・・・器具取付面（天井面）、Ｃｂ・・・配線器具（引掛けシーリングボディ）
【図１】
2012155976.tif 000003
【図２】
2012155976.tif 000004
【図３】
2012155976.tif 000005
【図４】
2012155976.tif 000006
【図５】
2012155976.tif 000007
【図６】
2012155976.tif 000008
【図７】
2012155976.tif 000009
【図８】
2012155976.tif 000010
【図９】
2012155976.tif 000011
【図１０】
2012155976.tif 000012
【図１１】
2012155976.tif 000013
【図１２】
2012155976.tif 000014
【図１３】
2012155976.tif 000015
【図１４】
2012155976.tif 000016
【図１５】
2012155976.tif 000017
【図１６】
2012155976.tif 000018
【図１７】
2012155976.tif 000019
【図１８】
2012155976.tif 000020
【図１９】
2012155976.tif 000021
【図２０】
2012155976.tif 000022